Podtech/llm-jp-corpus-v4-ja_patent huggingface dataset:
【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】
発光して意匠として視認させる意匠発光部（４１ａ）と、前記意匠発光部（４１ａ）とは別の通常発光部（１ｂ〜４ｂ、７２、７６、７７）とを有する車両用計器において、
車両のドアを開けるタイミングまたは車両のドアロックを解除するタイミングで前記意匠発光部（４１ａ）を発光させ、前記タイミングで前記意匠発光部（４１ａ）を発光させた後に、乗員により前記車両が走行許可状態に操作された場合には、前記意匠発光部（４１ａ）とともに前記通常発光部（１ｂ〜４ｂ、７２、７６、７７）を発光させることを特徴とする車両用計器。
【請求項２】
前記タイミングで前記意匠発光部（４１ａ）を発光させた時点から所定時間以上、前記車両の走行禁止状態が継続した場合には、前記意匠発光部（４１ａ）を消灯させることを特徴とする請求項１に記載の車両用計器。
【請求項３】
前記意匠発光部（４１ａ）は、目盛盤（７０Ａ、７０Ｂ、７０Ｃ）外周に設けられたリング形状であることを特徴とする請求項１または２に記載の車両用計器。
【手続補正２】
【補正対象書類名】明細書
【補正対象項目名】００１０
【補正方法】変更
【補正の内容】
【００１０】
ここで、乗員が車両に乗り込む際の動作および車両から降りる際の動作としては、ドアを開ける動作は勿論のこと、ドアロックを解除する動作も挙げられる。そこで、発光して意匠として視認させる意匠発光部（４１ａ）を有する車両用計器において、車両のドアロックを解除するタイミングで意匠発光部（４１ａ）を発光させることを特徴とする。
【手続補正３】
【補正対象書類名】明細書
【補正対象項目名】００１１
【補正方法】変更
【補正の内容】
【００１１】
これによっても、乗員がドアを開けて車両に乗り込む際および車両から降りる際に意匠発光部（４１ａ）が発光することとなるので、乗員が車両に乗り込む際および車両から降りる際に、極めて斬新な印象を与えることができる。
【手続補正４】
【補正対象書類名】明細書
【補正対象項目名】００１２
【補正方法】変更
【補正の内容】
【００１２】
さらに、請求項１に記載の発明では、意匠発光部（４１ａ）とは別の通常発光部（１ｂ〜４ｂ、７２、７６、７７）を有し、前記タイミングで意匠発光部（４１ａ）を発光させた後に、乗員により車両が走行許可状態に操作された場合には、意匠発光部（４１ａ）とともに通常発光部（１ｂ〜４ｂ、７２、７６、７７）を発光させることを特徴とする。
【手続補正５】
【補正対象書類名】明細書
【補正対象項目名】００１４
【補正方法】変更
【補正の内容】
【００１４】
ここで、乗員が車両に忘れ物を取りに来た場合や車両から降りる場合等のように、ドアを開けた後やドアロック解除後において乗員が計器を目にすることが無い状況が有り得る。そこで、請求項２に記載の発明では、前記タイミングで意匠発光部（４１ａ）を発光させた時点から所定時間以上、車両の走行禁止状態が継続した場合には、意匠発光部（４１ａ）を消灯させることを特徴とするので、上述のように乗員が計器を目にすることが無い状況においては意匠発光部（４１ａ）は消灯することとなり、無駄な電力の消費を回避できる。
【手続補正６】
【補正対象書類名】明細書
【補正対象項目名】００１５
【補正方法】変更
【補正の内容】
【００１５】
また、請求項３に記載の発明のように、意匠発光部（４１ａ）を、目盛盤（７０Ａ、７０Ｂ、７０Ｃ）外周に設けられたリング形状にして好適である。
【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】
皮膚面から波動を送受信して血管を流れる血液の流速をドップラシフト信号の形態で検出する手段と、該手段によって検出された血流速値の時間的変化から血液レオロジーを解析する手段とからなることを特徴とする血液レオロジー測定装置。
【請求項２】
血流速値の時間的変化からの血液レオロジー解析は脈拍１拍分の最大血流速度を脈拍速度の積分値で割って行うものである請求項１に記載の血液レオロジー測定装置。
【請求項３】
皮膚面から波動を送受信して血管を流れる血液の流速をドップラシフト信号の形態で検出する手段と、該ドップラシフト信号の周波数成分毎の強度分布を求める手段と、該強度分布においてしきい値以上の強度レベルの信号の内で最高周波数又は該強度分布において低周波成分からの積分値が全体の所定比率に達したときの最高周波数を抽出する手段と、該抽出周波数の周波数波形を得る手段とを備え、血液レオロジー解析は該周波数波形における最高周波数に基いて行うことを特徴とする血液レオロジー測定装置。
【請求項４】
血管を流れる血流速を検出する手段は指先部の動脈に対して送受信される超音波送受波器を採用した請求項１乃至３のいずれかに記載の血液レオロジー測定装置。
【請求項５】
皮膚面から波動を送受信して血管を流れる血液の流速をドップラシフト信号の形態で検出する手段と、該ドップラシフト信号の周波数成分毎の強度分布を求める手段と、該強度分布においてしきい値以上の強度レベルの信号の内で最高周波数又は該強度分布において低周波成分からの積分値が全体の所定比率に達したときの最高周波数を抽出する手段と、該抽出周波数の周波数波形を得る手段とを備え、血液レオロジー解析は前記周波数波形の１脈拍波形の最小値と次の脈拍波形の最小値とを結ぶ線以上の部分の面積値で行うことを特徴とする血液レオロジー測定装置。
【請求項６】
血管を流れる血流速を検出する手段は指部の動脈に対して送受信される超音波送受波器を採用した請求項１、２、３又は５に記載の血液レオロジー測定装置。
【請求項７】
血流を検出する血管部の温度を検出する手段と、該手段による検出温度値により血管の膨張収縮に基づく血流速の変化分を演算補償する手段とを備えた請求項１乃至６のいずれかに記載の血液レオロジー測定装置。
【請求項８】
血圧測定手段と、該手段による検出血圧値で割ることにより血圧に基づく変化分を演算補償する手段とを備えた請求項３乃至７のいずれかに記載の血液レオロジー測定装置。
【請求項９】
更に、被測定者の個人情報を入力するデータ入力部を有することを特徴とする請求項１乃至８のいずれかに記載の血液レオロジー測定装置。
【請求項１０】
前記被測定者の前記血液レオロジーに関する情報をもとに、被測定者に適した生活習慣情報を被験者に知らせることを特徴とする請求項１乃至９のいずれかに記載の血液レオロジー測定装置。
【請求項１１】
測定された前記血液レオロジーに関する情報を蓄積するデータ保存部を有し、該データ保存部に蓄積したデータから被測定者の日々の血液レオロジーの変化を評価することを特徴とする請求項１乃至１０のいずれかに記載の血液レオロジー測定装置。
【請求項１２】
前記血圧測定手段は、カフを有し、前記カフの締め付け圧力を調整する機構を具備することを特徴とする請求項８乃至１１のいずれかに記載の血液レオロジー測定装置。
【請求項１３】
前記血流速値の時間的変化から脈拍数を導出し、前記脈拍数によって前記血液レオロジーに関する情報を演算補正することを特徴とする請求項１乃至１２のいずれかに記載の血液レオロジー測定装置。
【請求項１４】
前記個人情報は食品に関する情報であることを特徴とする請求項９に記載の血液レオロジー測定装置。
【請求項１５】
所定のタイミングで測定を行い、所定の血液レオロジーの値になったら、被測定者に検知させることを特徴とする請求項１乃至１４のいずれかに記載の血液レオロジー測定装置。
【請求項１６】
更に、血管を流れる血流速を検出する前記手段として設けられた測定部付近における生体内部あるいは生体表面の温度を上昇させる温度上昇部を有することを特徴とする請求項１乃至１５のいずれかに記載の血液レオロジー測定装置。
【請求項１７】
血管を流れる血流速を検出する前記手段は、生体表面に接触する保持構造によって保持されていることを特徴とする請求項１乃至１６のいずれかに記載の血液レオロジー測定装置。
【請求項１８】
前記保持構造は断熱性を有する部材を具備することを特徴とする請求項１７に記載の血液レオロジー測定装置。
【請求項１９】
前記保持構造は、ゴムなどの弾力性を有する部材を具備することを特徴とする請求項１７または１８に記載の血液レオロジー測定装置。
【請求項２０】
血管を流れる血流速を検出する手段は、指先の毛細血管での血流速度変化を測定することを特徴とする請求項１、２、３、または５に記載の血液レオロジー測定装置。
【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
複数の磁気センサにより、被検者の生体から発せられる磁場を検出し、検出結果に基づく計測データを任意の表示形態で表示する磁場図表示方法であって、
被検者リスト画面に、被検者情報および当該被検者の計測データをデータ格納手段から読み出して選択可能に表示し、
データ計測画面に、前記被検者リスト画面で選択された被検者の計測条件の設定と計測の開始をするための表示を行い、
データ解析画面に、前記被検者リスト画面で選択された計測データの解析条件の設定と解析結果を表示させ、
前記３つの画面に、他の画面を選択するための処理機能表示部と、選択された被検者情報を表示する被検者表示部とを所定の位置に表示する
ことを特徴とする磁場図表示方法。
【請求項２】
複数の磁気センサにより、被検者の生体から発せられる磁場を検出し、検出結果に基づく計測データを任意の表示形態で表示する磁場図表示方法であって、
被検者リスト画面に、被検者情報および当該被検者の計測データをデータ格納手段から読み出して選択可能に表示し、
データ計測画面に、前記被検者リスト画面で選択された被検者の計測条件の設定と計測の開始をするための表示を行い、当該計測条件による計測状態を磁場波形として表示し、当該計測データを前記データ格納手段に格納するための表示を行い、
前記被検者リスト画面および前記データ計測画面のそれぞれに、他の画面を選択するための処理機能表示部と、選択された被検者情報を表示する被検者表示部とを所定の位置に表示する
ことを特徴とする磁場図表示方法。
【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】
超電導コイルと、該超電導コイルを冷却媒体と共に収納するコイル容器と、前記冷却媒体を冷却する冷凍機とを備え、前記コイル容器を相互に離間して相対向するように配置すると共に、両者コイル容器間に磁場空間を形成する超電導磁石において、前記コイル容器に冷却媒体を供給する冷却媒体タンクを前記コイル容器とは別体に設け、かつ、該冷却媒体タンクに前記冷凍機を設置すると共に、冷却媒体タンクとコイル容器とを冷却媒体流通用の通路で連絡したことを特徴とする超電導磁石。
【請求項２】
超電導コイルと、該超電導コイルを冷却媒体と共に収納するコイル容器と、前記冷却媒体を冷却する冷凍機とを備え、前記コイル容器を相互に離間して相対向するように配置すると共に、両者コイル容器間に磁場空間を形成する超電導磁石において、前記コイル容器に冷却媒体を供給する冷却媒体タンクを前記コイル容器とは別体に設け、かつ、該冷却媒体タンクに前記冷凍機を設置すると共に、冷却媒体タンクとコイル容器とを冷却媒体流通用の通路で連絡し、前記コイル容器に円環状の空間部を形成すると共に、その空間部に強磁性体磁極を配置したことを特徴とする超電導磁石。
【請求項３】
前記各コイル容器の相対向する面とは反対側に強磁性体部材を設けたことを特徴とする請求項１又は２に記載の超電導磁石。
【請求項４】
前記各コイル容器同志を連結通路で連結すると共に、該連結通路の内部を前記各コイル容器内の超電導コイルを接続するリード線が通っていることを特徴とする請求項１乃至３の何れかに記載の超電導磁石。
【請求項５】
前記冷却媒体流通用の通路の途中にフレキシブル部が設けられていることを特徴とする請求項１乃至４の何れかに記載の超電導磁石。
【請求項６】
超電導コイルと、該超電導コイルを冷却媒体と共に収納するコイル容器と、前記冷却媒体を冷却する冷凍機とを備え、前記コイル容器を相互に離間して相対向するように配置すると共に、両者コイル容器間に磁場空間を形成する超電導磁石において、前記コイル容器に冷却媒体を供給する冷却媒体タンクを前記コイル容器とは別体に設け、かつ、コイル容器内の冷却媒体を超電導を保つ必要最小限の量としたことを特徴とする超電導磁石。
【請求項７】
超電導コイルと、該超電導コイルを冷却媒体と共に収納するコイル容器と、前記冷却媒体を冷却する冷凍機とを備え、前記コイル容器を相互に離間して相対向するように配置すると共に、両者コイル容器間に磁場空間を形成する超伝導磁石において、前記コイル容器に円環状の空間部を形成すると共に、その空間部に強磁性体磁極が配置され、かつ、前記超電導磁石の中心から上下コイル容器の開放部を見たときに前記磁極で制限される上下方向の角度である視野角が３０°以上であることを特徴とする超電導磁石。
【請求項８】
前記磁極を含めた各コイル容器は、非磁性体の支持部材を介して前記冷却媒体タンクに支持されていることを特徴とする請求項２又は７に記載の超電導磁石。
【請求項９】
超電導コイルと、該超電導コイルを冷却媒体と共に収納するコイル容器と、前記冷却媒体を冷却する冷凍機とを備え、前記コイル容器を相互に離間して相対向するように配置すると共に、両者コイル容器間に磁場空間を形成する超電導磁石において、前記コイル容器に液体冷媒を供給する冷却媒体タンクを前記コイル容器とは別体に設け、これら両者を通路で連絡すると共に、前記超電導コイルからの渡り線が前記冷却媒体タンク内で配線され、この冷却媒体タンク内で渡り線と永久電流スイッチが接続されている超電導磁石。
【請求項１０】
請求項１乃至９の何れかに記載の超電導磁石と、被検体を乗せ、相対する前記超電導磁石のコイル容器間を移動可能なベッドと、被検体からの核磁気共鳴信号を解析する制御装置を有する磁気共鳴イメージング装置。
【手続補正２】
【補正対象書類名】明細書
【補正対象項目名】０００９
【補正方法】変更
【補正の内容】
【０００９】
【課題を解決するための手段】
上記目的を達成するために、本発明では、超電導コイルを冷却媒体と共に収納するコイル容器に冷却媒体を供給する冷却媒体タンクを前記コイル容器とは別体に設け、かつ、該冷却媒体タンクに冷却媒体を冷却する冷凍機を設置すると共に、冷却媒体タンクとコイル容器とを冷却媒体流通用の通路で連絡したことを特徴とする。
【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】 患者（１４）から心電図を収集するための収集デバイス（１６）であって、患者（１４）から複数の心電図を収集するための収集モジュール（１８）と、複数の心電図のうちの少なくとも２つの間の順次比較を実行するために前記収集モジュール（１８）と結合させた信号処理装置（２４）と、を備える収集デバイス（１６）。
【請求項２】 前記信号処理装置（２４）は、急性冠動脈症候群を検出するために複数の心電図のうちの少なくとも２つの間の順次比較をリアルタイムで実行している、請求項１に記載のデバイス。
【請求項３】 前記複数の心電図が指標心電図及び少なくとも１つの後続の心電図を含んでおり、かつ前記信号処理装置（２４）は該指標心電図と該少なくとも１つの後続心電図の間で順次比較を実行している、請求項１に記載のデバイス。
【請求項４】 ある患者（１４）から収集した心電図同士の順次比較を実行する方法であって、収集デバイス（１６）により患者（１４）から複数の心電図を収集する動作と、前記収集デバイス（１６）を用いて複数の心電図のうちの少なくとも２つの間で順次比較を実行する動作と、を含む方法。
【請求項５】 収集デバイス（１６）を用いて複数の心電図のうちの少なくとも２つの間で順次比較を実行する前記動作が、急性冠動脈症候群を検出するために複数の心電図のうちの少なくとも２つをリアルタイムで比較する動作を含む、請求項４に記載の方法。
【請求項６】 収集デバイス（１６）により患者（１４）から複数の心電図を収集する前記動作が指標心電図及び少なくとも１つの後続の心電図を収集する動作を含み、かつ収集デバイス（１６）を使用して複数の心電図のうちの少なくとも２つの間で順次比較を実行する前記動作が該指標心電図と該少なくとも１つの後続心電図の間で順次比較を実行する動作を含む、請求項４または５に記載の方法。
【請求項７】 ある患者（１４）から収集した心電図同士の順次比較を実行する方法であって、前記患者（１４）から指標心電図と少なくとも１つの後続の心電図とを収集する動作と、ＱＲＳ群、ＳＴ上昇、ＳＴ低下及びＴ波のうちの少なくとも１つにおいて前記指標心電図と前記少なくとも１つの後続心電図の間の変化を特定する動作と、前記特定した変化に重症度値を割り当てると共に、該重症度値をファジー論理アルゴリズムに従って解析する動作と、ＱＲＳ群の変化の重症度値が高い場合、ＳＴ上昇の変化の重症度値が高い場合、ＳＴ上昇及びＳＴ低下の変化の重症度値が中程度に等しいか中程度を超える場合、あるいはＴ波の変化の重症度値が中程度に等しいか中程度を超える場合に、臨床医に対して急性心筋梗塞を指摘する動作と、ＳＴ低下の変化の重症度値が高い場合、あるいは重症度ＳＴ低下及びＴ波の変化の重症度レベルが中程度に等しいか中程度を超える場合に、臨床医に対して急性虚血を指摘する動作と、を含む方法。
【請求項８】 指標心電図と少なくとも１つの後続心電図の間の変化を特定する前記動作が急性冠動脈症候群を検出するために変化をリアルタイムで特定する動作を含む、請求項７に記載の方法。
【請求項９】 心電図収集デバイス（１６）において実現させるため、並びにある患者（１４）から収集した少なくとも２つの心電図間で順次比較を実行させるためのソフトウェア・プログラムであって、前記少なくとも２つの心電図の対応する誘導を解析するため、前記少なくとも２つの心電図間の差をどの対応する誘導が指示しているかを決定するため、該対応する誘導を指摘された差に従って複数のグループに分類するため、並びに前記複数のグループの各１つに対して１つの重症度値を割り当てるための管理モジュール（２６）と、複数のグループの各１つに割り当てられた重症度値を解析するようにファジー論理アルゴリズムを実現するため、並びに該解析に基づいて急性冠動脈症候群の指示を出力するための決定論理モジュール（２８）と、を備えるソフトウェア・プログラム。
【請求項１０】 前記複数のグループが、Ｐ波、Ｑ波、ＱＲＳ群、ＳＴ上昇、ＳＴ低下、Ｔ波及びＱＴ間隔のうちの少なくとも１つを含む、請求項９に記載のソフトウェア・プログラム。
【手続補正２】
【補正対象書類名】明細書
【補正対象項目名】０００６
【補正方法】変更
【補正の内容】
【０００６】
上述した制約に鑑みて、患者を緊急処置室に収容できる場合や緊急医療技術者が患者を病院から離れた場所で処置する場合などにおいて、重篤な胸部痛に見舞われている患者の急性冠動脈症候群を検出するために一人の患者のＥＣＧ同士の順次比較を迅速かつ正確に実行するための方法及び装置に対する必要性が存在する。さらに、患者を緊急処置室からより迅速に解放させるために急性冠動脈症候群を否定するための方法及び装置に対する必要性が存在する。
【特許文献１】米国特許第５４１０４７３号
【手続補正書】
【提出日】平成16年11月26日(2004.11.26)
【手続補正１】
【補正対象書類名】明細書
【補正対象項目名】特許請求の範囲
【補正方法】変更
【補正の内容】
【特許請求の範囲】
【請求項１】
葬儀において遺体の洗浄に用いられる清浄槽であって、
清浄槽本体と、
該清浄槽本体の少なくとも側面を覆う複数のカバー部材とを有し、
前記カバー部材は、前記清浄槽本体に対して着脱自在に設けられており、
該カバー部材は、該カバー部材同士を連結する連結部を備えており、
該連結部の連結により前記カバー部材が前記清浄槽本体に対して位置決めされることを特徴とする清浄槽。
【請求項２】
前記カバー部材は、第１のカバー部材と第２のカバー部材とを含み、
前記第１のカバー部材の外側に前記第２のカバー部材が重なるよう構成された重ね合わせ部を有しており、
該重ね合わせ部によって、前記第１のカバー部材と前記第２のカバー部材との長手方向および／または短手方向の寸法が調節し得るよう構成されている請求項１に記載の清浄槽。
【請求項３】
前記第１のカバー部材と前記第２のカバー部材との間に設けられ、前記第１のカバー部材と前記第２のカバー部材との形状を補正する形状補正手段を備えている請求項２に記載の清浄槽。
【請求項４】
前記清浄槽本体の上端部に中空部を有するフランジ部が設けられており、前記カバー部材の上端部が、前記中空部に収容されるよう構成されている請求項１ないし３のいずれかに記載の清浄槽。
【請求項５】
前記清浄槽本体は、該清浄槽本体を支持する複数の脚部を有しており、
前記カバー部材は、前記脚部と係合する第１の係合部を備えており、
前記脚部は、前記係合部と係合する第１の被係合部を備えている請求項１ないし４のいずれかに記載の清浄槽。
【手続補正２】
【補正対象書類名】明細書
【補正対象項目名】０００８
【補正方法】変更
【補正の内容】
【０００８】
【課題を解決するための手段】
上記目的は、以下（１）〜（５）の本発明により達成される。
【手続補正３】
【補正対象書類名】明細書
【補正対象項目名】００１１
【補正方法】変更
【補正の内容】
【００１１】
（３）  前記第１のカバー部材と前記第２のカバー部材との間に設けられ、前記第１のカバー部材と前記第２のカバー部材との形状を補正する形状補正手段を備えている上記（２）に記載の清浄槽。
【手続補正４】
【補正対象書類名】明細書
【補正対象項目名】００１２
【補正方法】変更
【補正の内容】
【００１２】
（４）  前記清浄槽本体の上端部に中空部を有するフランジ部が設けられており、前記カバー部材の上端部が、前記中空部に収容されるよう構成されている上記（１）ないし（３）のいずれかに記載の清浄槽。
【手続補正５】
【補正対象書類名】明細書
【補正対象項目名】００１３
【補正方法】変更
【補正の内容】
【００１３】
（５）  前記清浄槽本体は、該清浄槽本体を支持する複数の脚部を有しており、
前記カバー部材は、前記脚部と係合する第１の係合部を備えており、
前記脚部は、前記係合部と係合する第１の被係合部を備えている上記（１）ないし（４）のいずれかに記載の清浄槽。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
耐水性支持体の少なくとも一方の面に少なくとも１層のインク受理層を設けたインクジェット用記録材料において、該インク受理層（Ａ）が平均一次粒径１００ｎｍ以下の無機微粒子、および親水性バインダーを含有し、表面のＪＩＳ−Ｂ０６０１で規定されるカットオフ値０．８ｍｍでの中心線平均粗さＲａが２μｍ以下であり、該インクジェット用記録材料のインク受理層Ａ面と反対面との静摩擦係数、およびインクジェットでベタ印字された後のインク受理層Ａ面と反対面との静摩擦係数が０．８以下であり、両者の静摩擦係数の差の絶対値が０．１以下であるインクジェット用記録材料。
【請求項２】
請求項１に記載のインクジェット用記録材料のインク受理層Ａの反対面がインク受理層（Ｂ）であることを特徴とするインクジェット用記録材料。
【請求項３】
前記インク受理層Ａが２層以上であり、最上層のインク受理層に含有される平均一次粒径が１００ｎｍ以下の無機微粒子がコロイダルシリカであり、コロイダルシリカに対する親水性バインダーの固形分比率が１〜８質量％であることを特徴とする請求項１または２に記載のインクジェット用記録材料。
【請求項４】
前記インク受理層Ｂが平均粒径が０．３μｍ以上の、有機微粒子および無機微粒子の少なくとも何れかと親水性バインダーを含有し、該有機微粒子と無機微粒子の合計に対する親水性バインダーの固形分比率が１０〜７０質量％である請求項２または３に記載のインクジェット用記録材料。
【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
支持体上に、少なくとも１層の無機微粒子を主体に含有するインク受容層の塗布液と、コロイダルシリカとカチオン性化合物を含有する層の塗布液をこの順に塗布してなるインクジェット記録材料において、前記コロイダルシリカを含有する層の塗布液のｐＨが３．３〜６．０であることを特徴とするインクジェット記録材料。
【手続補正書】
【提出日】平成16年5月11日(2004.5.11)
【手続補正１】
【補正対象書類名】明細書
【補正対象項目名】請求項８
【補正方法】変更
【補正の内容】
【請求項８】
前記所定の不可視目印は、前記各行の画像より前記一の方向上流側から前記一の方向に沿って印刷される第１の不可視直線であり、各行の画像の印刷において、前の行の印刷において印刷された前記第１の不可視直線を検出して、この第１の不可視直線の検出位置が予め定められた所定範囲に入るように印刷位置を制御することにより、各行の画像を整合させて印刷することを特徴とする請求項７に記載の走査型印刷装置による印刷方法。
【手続補正２】
【補正対象書類名】明細書
【補正対象項目名】請求項９
【補正方法】変更
【補正の内容】
【請求項９】
前記所定の不可視目印は、前記各行の画像より前記一の方向上流側から前記一の方向に沿って印刷される第１の不可視直線であり、各行の画像の印刷において、前記第１の不可視直線を印刷後直ちにセンサにより検出し、この検出された前記第１の不可視直線の検出位置が予め定められた所定範囲に入るように印刷位置を補正することにより、各行の画像の印刷方向が前記一の方向に沿うように制御することを特徴とする請求項７または８に記載の走査型印刷装置による印刷方法。
【手続補正３】
【補正対象書類名】明細書
【補正対象項目名】００１５
【補正方法】変更
【補正の内容】
【００１５】
また、前記所定の不可視目印は、前記各行の画像より前記一の方向上流側から前記一の方向に沿って印刷される第１の不可視直線であり、各行の画像の印刷において、前記第１の不可視直線を印刷後直ちにセンサにより検出し、この検出された前記第１の不可視直線の検出位置が予め定められた所定範囲に入るように印刷位置を補正することにより、各行の画像の印刷方向が前記一の方向に沿うように制御することもできる。
【手続補正４】
【補正対象書類名】明細書
【補正対象項目名】００６２
【補正方法】変更
【補正の内容】
【００６２】
本実施例は、第１の実施例と比較して、図１４に示すように、第２の吐出ヘッド１０ａを第１の吐出ヘッド７の主走査方向における長さ内に配置し、更にラインセンサ３ｂを第２の吐出ヘッド１０ａにより印刷される不可視直線４１、４３、４５を検出できる位置に変更した点が異なり、それ以外の構成は第１の実施例と同様である。
【手続補正５】
【補正対象書類名】図面
【補正対象項目名】図３
【補正方法】変更
【補正の内容】
【図３】
2003159817.tif 000001
【手続補正書】
【提出日】平成17年8月1日(2005.8.1)
【手続補正１】
【補正対象書類名】明細書
【補正対象項目名】特許請求の範囲
【補正方法】変更
【補正の内容】
【特許請求の範囲】
【請求項１】
シールドされた静脈注射または血液採集アセンブリであって、
ａ．細長い針と、
ｂ．１本の管と、
ｃ．一方端で前記針を支持し、他方端で前記管と液体連通する細長いハウジングと、
ｄ．前記ハウジングが具える、一対の対向して外方向に向いて伸びる羽根と、
ｅ．前記針から離れた位置から前記針を覆う位置へ旋回心軸に移動するように、前記ハウジングに対し旋回心軸に固定されたシールドと、
を具え、前記ハウジングに前記シールドを搭載する手段をさらに含むことを特徴とするシールドされた静脈注射または血液採集アセンブリ。
【請求項２】
前記搭載手段は、前記ハウジングに前記シールドを固定するために、前記ハウジングに隣接し前記羽根の周りに位置付け可能なクリップを含むことを特徴とする請求項１に記載のアセンブリ。
【請求項３】
前記クリップは前記シールドと一体的に形成されていることを特徴とする請求項２に記載のアセンブリ。
【請求項４】
前記シールドは、一体成形ヒンジによって、前記クリップと接続されていることを特徴とする請求項２に記載のアセンブリ。
【請求項５】
前記一体成形ヒンジは、二重の一体成形ヒンジを形成する別々に配置された一対のヒンジ要素を含むことを特徴とする請求項４に記載のアセンブリ。
【請求項６】
前記シールドは基端と、末端と、対向した一対の側壁と、上面と、それらによって定められ、前記末端から基端まで伸び、前記閉じた位置で前記針を覆う細長い凹部とを具えることを特徴とする請求項４に記載のアセンブリ。
【請求項７】
前記シールドは、前記ハウジングの羽根の横で、管の上に位置する前記シールドと前記クリップの間で、ヒンジ軸に対して旋回心軸方向に移動することを特徴とする請求項６に記載のアセンブリ。
【請求項８】
前記シールド側壁は、対向して内方向に向き、前記シールドの前記基端近傍の突起で、シールドが針を超えて覆う位置にあるとき、前記クリップと結合するための突起を含むことを特徴とする請求項７に記載のアセンブリ。
【請求項９】
前記シールドは、前記ハウジングにおける前記羽根の横で、前記針を覆う前記シールドと前記クリップの間でヒンジ軸に沿って旋回心軸方向に移動することを特徴とする請求項６に記載のアセンブリ。
【請求項１０】
前記シールドの側壁は対向して内方向に向き、前記シールドの前記基端近傍にあり、シールドが針を覆う位置にあるときに前記ハウジングと接続する突起を含むことを特徴とする請求項９に記載のアセンブリ。
【請求項１１】
前記シールドの側壁は、少なくとも一つの内側に向けられ、前記シールドの前記凹部の前記末端近傍にある突起を具え、前記針が前記細長い凹部に入れられたとき、前記末端突起は、前記針によって屈折され得るとともに、前記末端突起は前記シールド内の前記針を永続的に固定するために、屈折しない位置に戻ることができることを特徴とする請求項６に記載のアセンブリ。
【請求項１２】
前記シールドは、前記シールドの基端から上方向の斜面に斜めに延びる第１傾斜路を含む上部指ガイド領域を具えることを特徴とする請求項６に記載のアセンブリ。
【請求項１３】
前記第１傾斜路は接触突起を含むことを特徴とする請求項１２に記載のアセンブリ。
【請求項１４】
前記針は末端において、上方向に傾斜が付けられた面を含み、前記シールドと前記羽根は前記針の上方向に傾斜がつけられた面と一列に並ぶことを特徴とする請求項１に記載のアセンブリ。
【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】
前回の遊技の開始から所定時間が経過した以降に遊技のための変動を開始する遊技機であって、
投入された遊技用媒体の投入数を記憶する媒体投入数記憶手段と、
遊技用媒体を払出す媒体払出手段と、
遊技の開始を指示する遊技開始指示手段と、
入賞の判定を指示する入賞判定指示手段と、
遊技の開始が指示されてから入賞の判定が指示されるまでの判定所要時間を計測する判定所要時間計測手段と、
所定の払出しが指示されたときに前記判定所要時間に基づいて前記媒体払出手段により払出される遊技用媒体の払出量と前記媒体投入数記憶手段により記憶されている遊技用媒体の投入数の増加量とを設定する払出増加量設定手段と、
前記設定された払出量だけ遊技用媒体が払出されるよう前記媒体払出手段を制御すると共に該設定された増加量だけ遊技用媒体の投入数が増加するよう前記媒体記憶手段を制御する払出制御手段と、
を備える遊技機。
【請求項２】
前記払出増加量設定手段は、前記判定所要時間が短いほど前記払出量が多くなる傾向に該払出量と前記増加量とを設定する手段である請求項１記載の遊技機。
【請求項３】
前記払出増加量設定手段は、前記判定所要時間が前記所定時間より長いときには払出す遊技用媒体の予定量を前記増加量に設定すると共に前記払出量に値０を設定し、前記判定所要時間が前記所定時間より短いときには該判定所要時間と該所定時間との偏差としての払出有効時間に基づいて前記払出量と前記増加量とを設定する手段である請求項１記載の遊技機。
【請求項４】
前記払出増加量設定手段は、前記媒体投入数記憶手段に記憶されている投入数に基づいて前記増加量と前記払出量とを設定する手段である請求項１ないし３いずれか記載の遊技機。
【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】
遊技用媒体の投入と払出しを伴う遊技機であって、
投入された遊技用媒体の投入数を記憶する媒体投入数記憶手段と、
遊技用媒体を払出す媒体払出手段と、
所定の払出し指示に基づいて前記媒体投入数記憶手段により記憶されている遊技用媒体の投入数の増加量と前記媒体払出手段により払出される遊技用媒体の払出量とを設定する増加払出量設定手段と、
該設定された増加量だけ遊技用媒体の投入数が増加するよう前記媒体投入数記憶手段を制御すると共に前記設定された払出量だけ遊技用媒体が払出されるよう前記媒体払出手段を制御する払出制御手段と、
を備える遊技機。
【請求項２】
前記増加払出量設定手段は、払出す遊技用媒体の予定量に基づいて前記増加量と前記払出量とを設定する手段である請求項１記載の遊技機。
【請求項３】
前記増加払出量設定手段は、前記予定量が所定量未満のときには該予定量を前記払出量に設定すると共に値０を前記増加量に設定し、前記予定量が前記所定量以上のときには該所定量を前記払出量に設定すると共に該予定量と該所定量との偏差を前記増加量に設定する手段である請求項２記載の遊技機。
【請求項４】
前記増加払出量設定手段は、前記媒体投入数記憶手段に記憶されている投入数に基づいて前記増加量と前記払出量とを設定する手段である請求項１ないし３いずれか記載の遊技機。
【請求項５】
請求項１ないし４いずれか記載の遊技機であって、
遊技を開始するために必要な遊技用媒体を充当する遊技開始媒体充当手段を備え、
前記増加払出量設定手段は、前記媒体投入数記憶手段により記憶している遊技用媒体の投入数が上限値に達しているときには、前記遊技開始媒体充当手段により充当可能な遊技用媒体の量を充当量として設定すると共に前記増加量には値０、前記払出量には残余の遊技用媒体の量を設定する手段であり、
前記払出制御手段は、前記充当量が設定されたときには、前記媒体投入数記憶手段と前記媒体払出手段との制御に加えて、該設定された充当量の遊技用媒体が前記遊技開始媒体充当手段により充当されるよう該遊技開始媒体充当手段を制御する手段である
遊技機。
【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】
円形の真空ダクト中を周回させることにより粒子ビームのエネルギーを所定のエネルギーまで加速して取り出す医療用加速器であって、該医療用加速器は粒子加速時の騒音源が発する騒音と位相が１８０度異なる音を発生させる手段を備え、この手段からの音により上記騒音を打ち消すようにしたことを特徴とする医療用加速器。
【請求項２】
請求項１に記載の医療用加速器において、上記騒音源が発する騒音を収集する集音器と、この集音器によって収集する騒音が零に近づくよう上記騒音源が発する騒音を打ち消す音をスピーカから発生させるフィードバック制御システムとを備えたことを特徴とする医療用加速器。
【請求項３】
請求項１に記載の医療用加速器において、上記騒音源のデータから上記騒音源の騒音を打ち消すような音の波形を求める演算装置と、該演算装置で求めた音の波形を元に生成した音を発生するスピーカとを備えたことを特徴とする医療用加速器。
【請求項４】
請求項３に記載の医療用加速器において、上記騒音源が発する騒音を収集する集音器と、この集音器によって収集する騒音が零に近づくよう上記騒音源が発する騒音を打ち消す音をスピーカから発生させるフィードバック制御システムとを備えたことを特徴とする医療用加速器。
【請求項５】
円形の真空ダクト中を周回させることにより粒子ビームのエネルギーを所定のエネルギーまで加速して取り出す医療用加速器の騒音低減方法であって、該医療用加速器の粒子加速時に騒音源が発する騒音と位相が１８０度異なる音を発生させることにより上記騒音を打ち消すようにしたことを特徴とする医療用加速器の騒音低減方法。
【請求項６】
円形の真空ダクト中を周回させることにより粒子ビームのエネルギーを所定のエネルギーまで加速して取り出す医療用加速器の騒音低減方法であって、粒子加速時の騒音源のデータから、上記騒音源が発する騒音を打ち消す音の波形を演算により求め、この演算により求めた波形から上記騒音を打ち消す音を生成して上記騒音を低減し、さらに、打ち消されずに残った騒音を収集して上記残った騒音を打ち消す音の波形を演算により求め、この演算により求めた波形から上記残った騒音を打ち消す音を生成し、この作業を繰り返すことにより、上記騒音源が発する騒音を零に近づけるようにしたことを特徴とする医療用加速器の騒音低減方法。
【手続補正２】
【補正対象書類名】明細書
【補正対象項目名】０００６
【補正方法】変更
【補正の内容】
【０００６】
【課題を解決するための手段】
この発明に係る医療用加速器は、円形の真空ダクト中を周回させることにより粒子ビームのエネルギーを所定のエネルギーまで加速して取り出す医療用加速器であって、該医療用加速器は粒子加速時の騒音源が発する騒音と位相が１８０度異なる音を発生させる手段を備え、この手段からの音により上記騒音を打ち消すようにしたものである。
また、上記の医療用加速器において、上記騒音源が発する騒音を収集する集音器と、この集音器によって収集する騒音が零に近づくよう上記騒音源が発する騒音を打ち消す音をスピーカから発生させるフィードバック制御システムとを備えたものである。
また、上記の医療用加速器において、上記騒音源のデータから上記騒音源の騒音を打ち消すような音の波形を求める演算装置と、該演算装置で求めた音の波形を元に生成した音を発生するスピーカとを備えたものである。
【手続補正３】
【補正対象書類名】明細書
【補正対象項目名】０００７
【補正方法】変更
【補正の内容】
【０００７】
また、上記の医療用加速器において、上記騒音源のデータから上記騒音源の騒音を打ち消すような音の波形を求める演算装置と、該演算装置で求めた音の波形を元に生成した音を発生するスピーカと、上記騒音源が発する騒音を収集する集音器と、この集音器によって収集する騒音が零に近づくよう上記騒音源が発する騒音を打ち消す音をスピーカから発生させるフィードバック制御システムとを備えたものである。
【手続補正４】
【補正対象書類名】明細書
【補正対象項目名】０００８
【補正方法】変更
【補正の内容】
【０００８】
また、この発明に係る医療用加速器の騒音低減方法において、円形の真空ダクト中を周回させることにより粒子ビームのエネルギーを所定のエネルギーまで加速して取り出す医療用加速器の騒音低減方法であって、該医療用加速器の粒子加速時に騒音源が発する騒音と位相が１８０度異なる音を発生させることにより上記騒音を打ち消すようにしたものである。
【手続補正５】
【補正対象書類名】明細書
【補正対象項目名】０００９
【補正方法】変更
【補正の内容】
【０００９】
また、この発明に係る医療用加速器の騒音低減方法は、円形の真空ダクト中を周回させることにより粒子ビームのエネルギーを所定のエネルギーまで加速して取り出す医療用加速器の騒音低減方法であって、粒子加速時の騒音源のデータから、上記騒音源が発する騒音を打ち消す音の波形を演算により求め、この演算により求めた波形から上記騒音を打ち消す音を生成して上記騒音を低減し、さらに、打ち消されずに残った騒音を収集して上記残った騒音を打ち消す音の波形を演算により求め、この演算により求めた波形から上記残った騒音を打ち消す音を生成し、この作業を繰り返すことにより、上記騒音源が発する騒音を零に近づけるようにしたものである。
【手続補正６】
【補正対象書類名】明細書
【補正対象項目名】００１７
【補正方法】変更
【補正の内容】
【００１７】
【発明の効果】
この発明の請求項１及び５の発明によれば、医療用加速器が発生する騒音を低減できるため、装置を医療の治療場所近くに設置しても患者に不安を与えることがなく、設備が簡単になる。
【手続補正７】
【補正対象書類名】明細書
【補正対象項目名】００１９
【補正方法】変更
【補正の内容】
【００１９】
この発明の請求項３及び４の発明によれば、フィードバックループの伝達時間をなくすことができるので、より高い周波数成分の騒音に対しても効果的に打ち消すことができる。
【手続補正８】
【補正対象書類名】明細書
【補正対象項目名】００２０
【補正方法】変更
【補正の内容】
【００２０】
この発明の請求項６の発明によれば、騒音源のデータからその騒音を打ち消す音を演算により求めて騒音を打ち消し、残った騒音からさらに打ち消し音を演算により求めて残った騒音を打ち消し、この作業を繰り返すようにしているので、より高い周波数成分の騒音も効果的に低減できる。
【手続補正書】
【提出日】平成16年10月22日(2004.10.22)
【手続補正１】
【補正対象書類名】明細書
【補正対象項目名】特許請求の範囲
【補正方法】変更
【補正の内容】
【特許請求の範囲】
【請求項１】
キャビティ空間を形成する雌型と雄型とを開き、両金型間に絵付けフイルムを間に挟んで型締めし、ゲートより熔融樹脂をキャビティ内に射出充填し、冷却固化させることにより、射出された樹脂の表面に絵付けフイルムを一体化させ、しかるのち両金型を開き、表面に絵付けが成された成形品を得る射出成形同時絵付け方法において、絵付けフイルムが熱可塑性フイルム製の基体フイルム上にインクジェット受容層を積層してなる絵付け用フイルムに、昇華性染料を含有するインクを用いてインクジェット印刷された絵付けフイルムであること、を特徴とするインモールド絵付け方法。
【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】
精密インク乾燥機能を有するプリンタであって、
記録媒体上の場所にインクマークを形成するようになっている、プリントヘッドと、
前記プリントヘッドに関連し、前記インクマークを乾燥する、乾燥器と、
前記乾燥器に結合され、該乾燥器を制御可能に動作させ、該乾燥器が前記インクマークのみを選択的に乾燥するようにする、コントローラと、
を備えているプリンタ。
【請求項２】
精密インク乾燥機能を有するプリンタであって、
複数のインク滴を噴出するようになっており、記録媒体上の複数の場所において複数のインクマークを形成する、プリントヘッドと、
前記プリントヘッドの近くに配置され、前記インクマークを加熱して乾燥する、複数のヒータと、
前記ヒータのそれぞれに接続され、前記記録媒体上の前記インクマークの場所にしたがって選択的に前記ヒータに通電して、該ヒータが前記インクマークを有する場所のみを乾燥するようにする、コントローラと、
を備えているプリンタ。
【請求項３】
精密インク乾燥機能を有するプリンタの製造方法であって、
記録媒体上の場所においてインクマークを形成するようになっているプリントヘッドを設けるステップと、
前記インクマークを乾燥するよう、関連する乾燥器を前記プリントヘッドに結合するステップと、
前記乾燥器にコントローラを結合して該乾燥器を制御可能に動作させ、該乾燥器が前記インクマークのみを選択的に乾燥するようにするステップと、
を含む方法。
【請求項４】
精密インク乾燥機能を有するプリンタの製造方法であって、
複数のインク滴を噴出するようになっており、記録媒体上の複数の場所において複数のインクマークを形成するプリントヘッドを設けるステップと、
前記プリントヘッドの近くに複数のヒータを配置し、前記インクマークを加熱して乾燥するステップと、
前記ヒータのそれぞれにコントローラを接続し、前記記録媒体上の前記インクマークの場所にしたがって選択的に前記ヒータに通電して、該ヒータが前記インクマークを有する場所のみを乾燥するようにするステップと、
を含む方法。
【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】  軸線（７０４）と、中央部（７２０）と、２つの端部（７２２、７２４）とを有するタイヤ組立てドラム（７００）において、
各端部は、軸線方向に延び、周方向に間隔をおいて配置された、ビードをつかむようになっている複数のフィンガセグメント（Ｆ）を有する、膨張可能なビードロック組立体（７２６）を備えており、
各フィンガセグメントは、前記ビードロック組立体の折畳み状態における第１のフィンガ半径から前記ビードロック組立体の半膨張状態における第２のフィンガ半径まで膨張し、かつ前記ビードロック組立体の完全膨張状態における第３のフィンガ半径まで膨張することができることを特徴とするタイヤ組立てドラム。
【請求項２】  膨張可能な中央部（７２０）と２つの膨張可能な端部（７２２、７２４）とを有するタイヤ組立てドラム上でタイヤを組み立てる方法において、
（ａ）前記中央部（７２０）と前記端部（７２２、７２４）がその折畳み位置にある間に、前記タイヤ組立てドラムの平坦な取付け面上にインナーライナを取り付けるステップと、
（ｂ）前記中央部（７２０）と前記端部（７２２、７２４）の両方を中間膨張状態まで膨張させ、前記ドラムの前記中央部上に、間隔をおいた一対の凹部を形成するステップと、
（ｃ）記組立てドラムの周りの前記取付け面がほぼ平坦になるように、前記中央部（２２０）の各凹部内にピラーインサートを取り付けるステップと、
（ｄ）前記ほぼ平坦な取付け面上に第１のプライ（５０８）を取り付け、その後、前記第１のプライ（５０８）上および前記ピラーインサート（５０６）のかなり上方にポストインサート（５１０）を取り付け、その後、第２のプライを取り付けるステップと、
（ｅ）前記膨張可能な端部（７２６）のそれぞれにおいてビードロック組立体のフィンガ（Ｆ）の上方の所定の位置に一対のビードを移動させるステップと、
（ｆ）前記フィンガ（Ｆ）が前記膨張不能なビードをつかむように、前記各ビードロック組立体および前記中央部（７２０）をその完全膨張位置まで膨張させるステップと、
（ｇ）前記インナーライナ、第１のプライ、および第２のプライを前記ビードの周りで折り返すステップと、
（ｈ）前記ビードロック組立体（７２６）および前記中央部（７２０）を前記折畳み位置まで折り畳むステップと、
（ｉ）完成したグリーンタイヤカーカスを前記ドラムから取り外すステップと
を含む、タイヤ組立てドラム上でタイヤを組み立てる工程。
【請求項３】  膨張可能な中央部（７２０）と２つの膨張可能な端部（７２２、７２４）とを有するタイヤ組立てドラム上でタイヤを組み立てる方法において、
（ａ）前記組立てドラムおよび前記端部がその折畳み・非膨張位置にある間に、前記タイヤ組立てドラムの平坦な取付け面上にインナーライナを取り付けるステップと、
（ｂ）前記中央部（７２０）と前記端部（７２２、７２４）の両方をその中間膨張状態まで膨張させるステップと、
（ｃ）前記中央部上にピラーインサートを取り付け、その後、第１のプライ（５０８）を取り付け、その後、ポストインサート（５１０）を取り付け、その後、第２のプライを取り付けるステップと、
（ｅ）前記膨張可能な端部（７２６）のそれぞれにおけるビードロック組立体の上方の所定の位置に一対のビードを移動させるステップと、
（ｆ）前記ビードが所定の位置に固定されるように、前記各ビードロック組立体および前記中央部（７２０）をその完全膨張位置まで膨張させるステップと、
（ｇ）前記インナーライナ、第１のプライ、および第２のプライを前記ビードの周りで折り返すステップと、
（ｈ）前記ビードロック組立体（７２６）および前記中央部（７２０）を前記折畳み位置まで折り畳むステップと、
（ｉ）完成したグリーンタイヤカーカスを前記ドラムから取り外すステップと
を含む、タイヤ組立てドラム上でタイヤを組み立てる方法。
【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】  成形、充填およびシールを行う包装機械上において底壁密閉且つ頂部開放された２つのカートンに対し、開口に挿入されて固定される２個の蓋をそれぞれ同時に取り付ける回転式蓋取付け装置であって、
本体と、
第１の長手方向に静止される部分および第２の長手方向に移動可能な部分を有し、前記第１および第２の部分が可動部分の長手方向の動きに関係なく共に回転可能な回転シャフトと、
第２の長手方向に移動可能なシャフト部分を移動させるための長手方向駆動装置と、
シャフトを回転させるために両シャフト部分の一方に作動連結された回転駆動装置と、
カートンへ向かう方向および離れる方向へ移動するように、長手方向に移動可能な部分に作動連結された、スポークを有する取付け部材と、
蓋を移動してそれぞれのカートンに係合させるために、蓋を支持するように取付け部材に取り付けられた少なくとも４つの蓋支持部材と、
カートンに蓋を密閉するために、その開口内に蓋を位置されたカートンと係合および係合解除するように移動可能な、長手方向に移動可能なシーリング部材とを含む回転式蓋取付け装置。
【請求項２】  第２のシャフト部分を長手方向に移動させるために第２のシャフト部分が第１のシャフト部分に対して入れ子式に伸縮する請求項１に記載された回転式蓋取付け装置。
【請求項３】  ４つのスポークを含み、各スポークがその端部付近に蓋支持部材を有する請求項１に記載された回転式蓋取付け装置。
【請求項４】  成形、充填およびシールを行う包装機械上において底壁密閉且つ頂部開放された２つのカートンに対し、開口に挿入されて固定される２個の蓋をそれぞれ同時に取り付ける回転式蓋取付け装置であって、
本体と、
第１の長手方向に静止される部分および第２の長手方向に移動可能な部分を有し、前記第１および第２の部分が可動部分の長手方向の動きに関係なく共に回転可能な回転シャフトと、
第１および第２のシャフト部分を回転させる手段と、
第２のシャフト部分を長手方向へ移動させる手段と、
カートンへ向かう方向および離れる方向へ移動可能な取付け手段と、
蓋を支持するために取付け手段に取り付けられた蓋支持手段と、
カートンに蓋を密閉するために、その開口内に蓋を位置されたカートンと係合および係合解除するように移動可能なシーリング部材とを含む回転式蓋取付け装置。
【請求項５】  シーリング部材をカートンに係合させる、また係合解除させるように移動可能な手段を含む請求項４に記載された回転式蓋取付け装置。
【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
吐出モードを切り換えるためのレバーを有し、そのレバーは両端部で回転可能に支持され、レバー操作時のクリック感を持たせるためのクリック機構が設けられている浄水器であって、前記クリック機構として、レバーの動きを弁体に伝達するシャフトの一部に設けられたばねと、そのばねによって付勢される被付勢部材と、その被付勢部材の受納部とが設けられており、かつ、前記レバーの両端部は、蛇口の接続部を挟むように支持されていることを特徴とする浄水器。
【請求項２】
前記シャフトが、レバーの操作に対応して回転し、かつ吐出モードに対応して各モード用の流出口を開閉することを特徴とする、請求項１に記載の浄水器。
【請求項３】
前記レバーの動作方向が、浄水器の上下方向であることを特徴とする、請求項１または２に記載の浄水器。
【請求項４】
前記クリック機構によるクリック感が、前記レバーが所定のストローク分操作されたときに付与されることを特徴とする、請求項１〜３のいずれかに記載の浄水器。
【手続補正２】
【補正対象書類名】明細書
【補正対象項目名】０００６
【補正方法】変更
【補正の内容】
【０００６】
【課題を解決するための手段】
上記課題を解決するために、本発明の浄水器は、吐出モードを切り換えるためのレバーを有し、そのレバーは両端部で回転可能に支持され、レバー操作時のクリック感を持たせるためのクリック機構が設けられている浄水器であって、前記クリック機構として、レバーの動きを弁体に伝達するシャフトの一部に設けられたばねと、そのばねによって付勢される被付勢部材と、その被付勢部材の受納部とが設けられており、かつ、前記レバーの両端部は、蛇口の接続部を挟むように支持されていることを特徴とするものからなる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正書】
【提出日】平成16年11月25日(2004.11.25)
【手続補正１】
【補正対象書類名】明細書
【補正対象項目名】００２３
【補正方法】変更
【補正の内容】
【００２３】
実施例１：
平均繊維径６μｍ以下の極細ガラス繊維９０重量％とチョップドガラス繊維１０重量％及び対濾材重量０．５重量％のポリビニルアルコール繊維状バインダー（ＳＰＧ  ０５６、クラレ（株）製、７．３μｍ×３ｍｍ）をパルパーにて、ｐＨ３．５の酸性水を用いて離解し、水性スラリーを作成して、これらのスラリーから標準角型手抄き抄紙機を用いて、シートを形成した。これにアクリル系ラテックス（ＳＦＡ−３３、大日本インキ（株）製）を湿紙に付与し、湿紙の水分を５５％にし、その後１３０℃のロータリードライヤーにて一気に乾燥し、坪量７０ｇ／ｍ2 、バインダー樹脂分６．２重量％で、シート乾燥後の膨潤したポリビニルアルコール繊維状バインダーの繊維径が８．１μｍのシートを得た。